(57)【要約】【課題】網の目に茶葉が詰まったときに容易に洗浄できると共に、急須に多少の寸法誤差が生じた場合でも適応できる茶漉し網を提供すること。【解決手段】帯状の形態を有する網体１１と、網体１１の一端側１１ａに設けられる掛合部１２，１２と、網体１１の他端側１１ｂにおける長手方向に沿った所定領域に、該網体１１を円筒状に湾曲させた状態で、掛合部１２，１２が引っ掛かるように形成される被掛合部１３と、を有することを特徴とする。【選択図】図３
0003153982.tif 000002
【実用新案登録請求の範囲】
【請求項１】
帯状の形態を有する網体と、
上記網体の一端側に設けられる掛合部と、
上記網体の他端側における長手方向に沿った所定領域に、該網体を円筒状に湾曲させた状態で、上記掛合部が引っ掛かるように形成される被掛合部と、
を有することを特徴とする茶漉し網。
【請求項２】
請求項１記載の茶漉し網において、
前記被掛合部は、前記網体における該被掛合部以外の領域の網の目よりも粗い網の目に形成されており、その粗さは、掛合部が引っ掛かる程度の粗さであることを特徴とする茶漉し網
【請求項３】
請求項１または２記載の茶漉し網において、
前記掛合部は、前記被掛合部に引っ掛かるような爪形状を呈することを特徴とする茶漉し網。
【請求項４】
請求項１から３のいずれか１項記載の茶漉し網において、
前記網体は、前記一端側が前記他端側の内側に重なるように円筒状に湾曲させられ、前記掛合部を前記被掛合部の内側から外側に向かって引っ掛けることにより、該円筒状の形態に保持されることを特徴とする茶漉し網。
【請求項５】
請求項１から４のいずれか１項記載の茶漉し網において、
前記網体の一端側には、前記掛合部の延出方向と反対の方向に向かって延出する保持部が設けられていることを特徴とする茶漉し網。
【請求項６】
請求項１から５のいずれか１項記載の茶漉し網を、円筒状に湾曲させ、前記掛合部を前記被掛合部に引っ掛けて円筒状に保持した状態で、急須においてお茶を蓄えるための空間となる空洞内に設置させたことを特徴とする急須。
【考案の詳細な説明】
【技術分野】
【０００１】
本考案は、茶漉し網および急須に関する。
【背景技術】
【０００２】
古来より、日本茶を注ぐために急須が広く用いられている。このような急須では、一般的に、茶葉を流出させずに茶を注ぎ出すために、注ぎ口に通ずる急須本体の透口部に網体を嵌着させている。このような網体としては、粘着性を有する外周枠の内周部に網を固定し、当該外周枠を透口部に取り付けるものが存在する（特許文献１参照）。
【先行技術文献】
【特許文献】
【０００３】
【特許文献１】特開２００４−３８７号公報（発明の詳細な説明）
【考案の概要】
【考案が解決しようとする課題】
【０００４】
しかしながら、特許文献１に開示されている急須では、網体が透口部に嵌着されているため該網体を急須から取り外すことができない。さらに、この網体の網の目は茶葉の大きさよりも細かく形成されているため、該網体に茶葉が詰まった場合、注ぎ口から十分に茶を注ぐことができなくなる。このように茶葉が詰まった場合、網体を洗浄し、該網体から茶葉を取り除くことが必要となるが、該網体は透口部に嵌着されているため洗浄しづらいものとなっている。
【０００５】
また、網体は所定の外形を有するように形成されているため、当該網体は一般的に同じ型の急須に適用される。また、急須を焼いたときに該急須に多少の寸法誤差が生じることから、同じ型の急須に対して網体を隙間なく嵌着できない場合が発生する。
【０００６】
本考案は、かかる問題に鑑みてなされたものであり、その目的とするところは、網の目に茶葉が詰まったときに容易に洗浄できると共に、急須に多少の寸法誤差が生じた場合でも適応できる茶漉し網を提供しようとするものである。
【課題を解決するための手段】
【０００７】
上記課題を解決するために、本考案の一側面は、帯状の形態を有する網体と、
網体の一端側に設けられる掛合部と、網体の他端側における長手方向に沿った所定領域に、該網体を円筒状に湾曲させた状態で、掛合部が引っ掛かるように形成される被掛合部と、を有するものである。
【０００８】
また、被掛合部は、網体における該被掛合部以外の領域の網の目よりも粗い網の目に形成されており、その粗さは、掛合部が引っ掛かる程度の粗さであることが好ましい。
【０００９】
また、掛合部は、被掛合部に引っ掛かるような爪形状を呈することが好ましい。
【００１０】
また、網体は、一端側が他端側の内側に重なるように円筒状に湾曲させられ、掛合部を被掛合部の内側から外側に向かって引っ掛けることにより、該円筒状の形態に保持されるものとするのが好ましい。
【００１１】
また、網体の一端側には、掛合部の延出方向と反対の方向に向かって延出する保持部が設けられるのが好ましい。
【００１２】
さらに、他の考案の一側面は、上述の茶漉し網を、円筒状に湾曲させ、掛合部を被掛合部に引っ掛けて円筒状に保持した状態で、急須においてお茶を蓄えるための空間となる空洞内に設置させるのが好ましい。
【考案の効果】
【００１３】
本考案によると、網の目に茶葉が詰まったときに容易に洗浄できると共に、急須に多少の寸法誤差が生じた場合でも適応できる茶漉し網を提供できる。
【図面の簡単な説明】
【００１４】
【図１】本考案の一実施の形態に係る茶漉し網を急須に配置した状態を示す側断面図である。
【図２】本考案の一実施の形態に係る茶漉し網を急須に配置した状態を示す正面断面図である。
【図３】図１中の茶漉し網の構成を示す斜視図であり、掛合爪と被掛合部とが非掛合状態にある図である。
【図４】図１中の茶漉し網の構成を示す斜視図であり、掛合爪と被掛合部とが掛合状態にある図である。
【考案を実施するための形態】
【００１５】
以下、本考案の一実施の形態に係る茶漉し網５について、図面を参照しながら説明する。なお、茶漉し網５については急須１と共に説明する。
【００１６】
図１は、茶漉し網５を急須１に配置した状態を示す側断面図である。図２は、茶漉し網５を急須１に配置した状態を示す正面断面図である。なお、以下の説明において、注ぎ口６が存在する側を前方、取手７が存在する側を後方と規定する。
【００１７】
図１に示すように、急須１は、全体が例えば陶器から形成されており、急須本体２と、蓋体３と、茶漉し網５と、から主に構成されている。このうち、急須本体２には、その前端側にお茶を茶碗に注ぐ注ぎ口６が設けられると共に、後端側に手で把持する取手７が設けられている。
【００１８】
ここで、本実施の形態の急須１は、図２に示すように、注ぎ口６の中心線Ｘ−Ｘおよび取手７の中心線を含む面を挟んで、左右面対称となるように設けられている。この場合、蓋体３、注ぎ口６および取手７は、前後方向に向かって略直線状に配置されていて、お茶を注ぐ際の操作性の向上を図っている。
【００１９】
急須本体２の内部には、お茶を蓄えるための空間となる空洞１０が設けられており、この空洞１０内に円筒状に形成された茶漉し網５が配置されている。茶漉し網５は、茶葉が注ぎ口６から流出するのを防止するものであり、空洞１０に設置可能な円筒状に形成される。
【００２０】
図３は茶漉し網５の構成を示す斜視図であり、掛合爪１２と被掛合部１３とが非掛合状態にある図である。図４は茶漉し網５の構成を示す斜視図であり、掛合爪１２と被掛合部１３とが掛合状態にある図である。
【００２１】
茶漉し網５は、図３および図４に示すように、たとえば、ステンレス製、チタン製等の針金をメッシュ状に設けて構成される帯状の網体１１と、網体１１の一端側１１ａに略Ｌ字状の爪状の形態で設けられる掛合部となる掛合爪１２，１２と、網体１１の他端側１１ｂに設けられ、略矩形状の形態を有すると共に、網体１１の網の目よりも粗い網の目を有する被掛合部１３と、を主に備える。具体的には、網体１１の網目の大きさは、掛合爪１２，１２が引っ掛からない程度の大きさとされている。被掛合部１３は、平板状の金属平板１４を介して網体１１の他端側１１ｂに固定されている。網体１１の他端側１１ｂおよび被掛合部１３の一端側（図３における左側）は、たとえば、金属平板１４に溶接によって固定されている。被掛合部１３も網体１１と同様、たとえば、ステンレス製、チタン製等の針金がメッシュ状に設けられている。なお、網体１１および被掛合部１３を、ナイロン等の樹脂、その他の人体に悪影響のない材料から構成するようにしても良い。
【００２２】
掛合爪１２，１２は、網体１１の一端側１１ａに設けられる板状体１５の上下の２箇所に設けられている。板状体１５は、金属からなり略平板状の形態を有する。また、これら掛合爪１２，１２は、図３に示すように、網体１１の図３における径方向外側に向かって突出するように折り曲げられている。さらに、掛合爪１２，１２は、たとえば、板状体１５に溶接によって固定されている。この掛合爪１２，１２は、被掛合部１３に対して掛脱可能に構成されている。被掛合部１３は、網体１１の長手方向に沿って一定の幅寸法を有するため、掛合爪１２，１２を網体１１の長手方向に一定の自由度をもたせながら被掛合部１３に引っ掛けることができる。すなわち、掛合爪１２を被掛合部１３に引っ掛ける位置によって茶漉し網５の円筒の径を調節することが可能である。また、板状体１５には、略リング状の形態を有する保持部１９が図３および図４の径方向内方に向かって延出している。保持部１９は、円筒状に形成された茶漉し網５において掛合爪１２を被掛合部１３から外すために使用される。具体的には、掛合爪１２と被掛合部１３とが引っ掛かけられた茶漉し網５において、保持部１９を手で把持して径方向内側に向かって引っ張ると、掛合爪１２が被掛合部１３から外れる。
【００２３】
図１から図４に示すように、茶漉し網５は、網体１１を円筒状に保持した状態で、空洞１０の内部に設置される。具体的には、図４に示すように、板状体１５を、被掛合部１３の内側に重なるように円筒状に湾曲させ、掛合爪１２，１２を被掛合部１３の径方向内側から外側に向かって引っ掛けることにより、茶漉し網５は円筒状の形態に保持される。上述したように、茶漉し網５は、掛合爪１２，１２を被掛合部１３に引っ掛けて円筒状に保持した状態で、空洞１０内に設置される。具体的には、図３に示すように、茶漉し網５は、後述する開口部１７よりも小さな径となる円筒状に湾曲させられて、該開口部１７の上方から空洞１０内に配置される。すなわち、掛合爪１２，１２が被掛合部１３に引っ掛かっていない状態で茶漉し網５を空洞１０内に配置させ、その後、茶漉し網５の径を空洞１０の大きさに適合するように調節させてから、掛合爪１２，１２を被掛合部１３に引っ掛ける。
【００２４】
図１に示すように、急須本体２のうち、注ぎ口６と取手７の間であって、底部１６の反対側の部分は、やや扁平した円形状の開口部１７となっている。開口部１７は、茶葉やお湯を内部に入れるために十分な開口形状を有しているものである。また、この開口部１７の周囲は、上述した蓋体３を載置して支持するための蓋載置部１８となっている。蓋載置部１８は、略平面または開口部１７へ向かい僅かに下る傾斜面に形成されている。
【００２５】
図１に示すように、注ぎ口６側の幅広の蓋載置部１８の前方上部には、蓋体３が注ぎ口６側へ移動するのを防止する、前方側当接部２０が設けられている。前方側当接部２０は、蓋載置部１８から見て切り立った壁面状の部分である。また、取手７側の幅狭の蓋載置部１８の後方には、蓋体３が取手７側へ移動するのを防止する後方側当接部２１が設けられている。なお、後方側当接部２１は、取手７の蓋載置部１８側の部分を切り欠いて構成されており、前方側当接部２０に比べ、より大きく切り立った壁面状に形成されている。
【００２６】
このような急須本体２に対して、蓋体３が取り付けられる。蓋体３は、その全体が略円盤状を為していて、しかも周囲全体にわたって、他の部分よりも径方向外方へ張り出した蓋側フランジ部２２を有している。この蓋側フランジ部２２が蓋載置部１８と当接することで、蓋体３が蓋載置部１８によって支持される。
【００２７】
また、蓋体３のうち、天井部側（図１において開口部１７から離間する側）は、計量部２３となっている。計量部２３は、周壁に囲まれて窪んだ状態に形成されていて、ここに茶葉を盛り計量部２３から突出した茶葉を取り除き、計量部２３の容量と略同一な茶葉の量とすると、空洞１０に入れるお湯の量に見合った茶葉の分量（具体的には、お茶が一番おいしくなる分量）となるように形成されている。なお、その分量の一例としては、たとえば、空洞１０が一杯となるお湯の量２００ｃｃに対して、計量部２３に茶葉を盛って一杯としたときに茶葉が６ｇとなり、お湯と茶葉の分量が釣り合うように設けられている。
【００２８】
しかしながら、計量部２３に盛る茶葉の分量は、濃い目および薄目といった夫々の人の好みによって、該計量部２３を一杯としたときを基準として、種々変更可能である。なお、計量部２３が一杯になるとは、計量部２３の底２３ａと蓋体３の仮想の上部水平線２３ｂとで囲まれるくぼみ部分に茶葉がぎっしり入れられた状態を指す
【００２９】
また、蓋体３のうち、下方側（図１において空洞１０の内部に向かう側）に向かい、台座部としての筒状部２４が延出している。筒状部２４も、急須本体２と同様に、所定の肉厚を有する中空形状を為すものである。蓋体３が蓋載置部１８に載置された場合、この筒状部２４は、空洞１０の内部に入り込む。また、この筒状部２４の下端側から取手７に向かい、脱落防止手段としての舌片部２５が延出している。
【００３０】
次に、急須１の使用方法について説明する。
【００３１】
まず、帯状の網体１１を、図４に示すように、湾曲させて円筒形状にする。具体的には、網体１１の一端側１１ａが他端側１１ｂの内側に重なるように、図４に示す茶漉し網５の円筒よりも径の小さな円筒形状に形成させる。すなわち、茶漉し網５の円筒形状を、急須本体２の開口部１７の直径よりも小さい直径で形成するようにする。この際、掛合爪１２，１２は網体１１に引っ掛かることはない。
【００３２】
次に、このように形成した茶漉し網５を、該開口部１７から空洞１０内へ挿入する。該茶漉し網５は、網体１１自体が外側に向かって開こうとする弾性を有するので、茶漉し網５は全体としても径方向外方へ拡張する。この際、内側に重合している部分の一端側１１ａが、その外側に重合している他端側１１ｂ近傍を径方向外方へ押圧する。その結果、掛合爪１２が被掛合部１３の内側に位置し、かつ網体１１が空洞１０の内壁面２ａに接触した状態で、茶漉し網５が空洞１０内に納まる。すなわち、網体１１の上端部１１ｃ（図１および図２参照）が、急須本体２の内壁面２ａの上部に当接すると共に、網体１１の下端部１１ｄ（図１および図２参照）が、急須本体２の内壁面２ａの下部に当接して、茶漉し網５が、空洞１０内に略密着状態で配設される。この状態で、径方向外方に向かって突出する掛合爪１２が被掛合部１３の網の目に引っ掛けられる。これにより、茶漉し網５の周方向へのズレが防止される。
【００３３】
次に、茶葉を図１の状態または急須本体２から取り外した状態の蓋体３の計量部２３に盛り、この計量部２３にて茶葉が適宜の量であるか否かを計測する。そして、この計量部２３で茶葉の大まかな量を計った後に、茶葉を開口部１７から空洞１０の茶漉し網５内に入れ、お湯も入れる。この後に、再び開口部１７を覆うように蓋体３を取り付けて、お茶の飲み頃となるのを待つ。
【００３４】
そして、お茶の飲み頃となった後に、取手７を手で握り、急須１を持ち上げて茶碗にお茶を注ぐ。このとき、急須１を傾けながら茶碗にお茶が注がれる。また、この際、お茶は、内壁面２ａと茶漉し網５との間に全周に渡って形成される通湯路３０（図１および図２参照）を経て、注ぎ口６から注ぎ出される。急須１では、茶漉し網５が空洞１０内にて確実に円筒状に保持されるため、茶殻が内壁面２ａと茶漉し網５の隙間から通湯路３０内に紛れ込むことがなくなる。そのため、通湯路３０を確実に確保でき、おいしいお茶を注ぎ出すことが可能となる。また、保持部１９を手で把持して、網体１１の一端側１１ａを径方向内側に引っ張れば、掛合爪１２と被掛合部１３との掛合状態を解除でき、茶漉し網５を比較的容易に空洞１０内から取り出すことができる。そのため、茶漉し網５に茶葉が詰まった場合等に、急須１を清掃することが容易なものとなる。
【００３５】
以上のように構成された茶漉し網５では、茶漉し網５を急須１の空洞１０内へ配設したときに、該茶漉し網５の両側端部を重合させ、かつ、一方の側端部に設けられる掛合爪１２，１２を、他方の側端部に設けられる被掛合部１３に引っ掛けるだけで、茶漉し網５が円筒状に保持された状態で、空洞１０内に配置させることが可能となる。また、茶漉し網５は、網体１１自体が外側に向かって拡張しようとする弾性を有するので、茶漉し網５を空洞１０の内壁面２ａへ押圧させることが可能となり、その結果、茶漉し網５を内壁面２ａに接触した状態で空洞１０内に配置させることができる。また、掛合爪１２，１２と被掛合部１３とが引っ掛かる位置にある程度の自由度を有するため、同じ型の急須１において多少の寸法誤差が生じても、茶漉し網５の円筒状の径の大きさ、急須１に適した大きさに調節することが可能となる。したがって、茶漉し網５を内壁面２ａに接触させた状態で空洞１０内に容易に配置させることができ、茶殻が隙間から通湯路内３０に紛れ込むことを防止できる。その結果、通湯路３０を確実に確保できると共に、茶殻が内壁面２ａに堆積するのを防止できる。したがって、新鮮な茶葉と使い古された茶殻が混ざり合うのを防止でき、おいしいお茶を注ぎ出すことが可能となる。
【００３６】
また、茶漉し網５においては、板状体１５には保持部１９が設けられているため、保持部１９を手で把持し、網体１１の一端側１１ａを径方向内側に引っ張れば、掛合爪１２と被掛合部１３との掛合状態が解除され、茶漉し網５を比較的容易に空洞１０内から取り出すことができる。そのため、茶漉し網５に茶葉が詰まった場合等に、急須１を清掃することが容易なものとなる。
【００３７】
また、茶漉し網５では、固着等の方法を利用しないで、掛合爪１２，１２を被掛合部１３に引っ掛けるといった簡易な構造を有しているので、容易に茶漉し網５を空洞１０に適した円筒状に形成できる。また、茶漉し網５を急須１から取り出す際も、掛合爪１２，１２と被掛合部１３との掛合を解除させることによって、比較的容易に茶漉し網５を急須１から取り出すことができる。
【００３８】
また、急須１は茶漉し網５を備えるため、茶漉し網５と空洞１０の内壁面２ａとが接触した状態を維持でき、茶殻が茶漉し網５と内壁面２ａとの隙間から通湯路内３０に紛れ込むことを防止できる。その結果、通湯路３０を確実に確保でき、おいしいお茶を注ぎ出すことが可能となる。
【００３９】
以上、本考案の一実施の形態について説明したが、本考案は上述の形態に限定されることなく、種々変形した形態にて実施可能である。
【００４０】
上述の実施の形態では、被掛合部１３の網の目の大きさは網体１１の網の目よりも大きく形成されているが、被掛合部１３の網の目の大きさを網体１１の網の目と同じ大きさとしても良いし、小さくしても良い。このように網の目の大きさを同じ大きさとした場合、たとえば、茶漉し網５を網体１１のみから形成する等、茶漉し網５を１つの部材から形成するようにしても良い。この場合、網の目の大きさは掛合爪１２が引っ掛かると共にお茶が越せる程度の大きさとするのが好ましい。また、被掛合部１３は、メッシュ状に設けられているが、被掛合部１３の形態はメッシュ状に限定されず、たとえば、上下方向に沿った切り欠きを複数設ける形態としても良いし、複数の孔を有する形態としても良い。
【００４１】
また、上述の実施の形態では、掛合爪１２は、茶漉し網５に２つ設けられているが、掛合爪１２の数は２つに限定されるものではなく、１つとしても良いし、３つ以上としても良い。
【００４２】
また、上述の実施の形態では、掛合爪１２を被掛合部１３に引っ掛けて、茶漉し網５を円筒状に保持しているが、保持する方法は当該方法に限定されるものではなく、たとえば、突起を被掛合部１３に設けられた孔に嵌め込んで保持するような形態としても良い。
【００４３】
また、上述の実施の形態では、板状体１５に保持部１９が設けられているが、保持部１９を設けないようにしても良い。また、保持部１９の形状はリング状に限定されるものではない。
【００４４】
また、上述の実施の形態では、掛合爪１２，１２を被掛合部１３の径方向内側から引っ掛ける構成とされているが、掛合爪１２，１２が被掛合部１３の径方向外側から引っ掛けられる構成としても良い。この場合、保持部１９は、網体１１の他端側１１ｂ近傍に設けるのが好ましい。
【符号の説明】
【００４５】
１…急須
５…茶漉し網
１１…網体
１０…空洞
１２…掛合爪（掛合部）
１３…被掛合部
１９…保持部
【図１】
0003153982.tif 000003
【図２】
0003153982.tif 000004
【図３】
0003153982.tif 000005
【図４】
0003153982.tif 000006